(57)【要約】【課題】本発明は帳票処理システムの帳票仕分け装置に関し、帳票処理を自動化することで帳票処理の効率化を図る。【解決手段】帳票仕分け装置１において、営業店の窓口で顧客から受け取った帳票から画像データを入力し、一旦メモリに格納する画像入力手段と、メモリ内の画像データから帳票の種類、収納先、金額等の帳票情報を獲得しデータベース１７に格納して管理する帳票情報獲得手段と、帳票の種類に応じてデータベース１７の仕分け情報に従い、帳票の仕分け方法を一意に決定する仕分方法決定手段と、帳票の指定された位置に、前記仕分け方法及び前記帳票情報を印刷する印刷手段１４と、データベース１７の仕分け情報は、営業店側装置と事務センタ側装置間のネットワークを介して更新可能であるように構成した。【選択図】        図１
2011150732.tif 000002
【特許請求の範囲】
【請求項１】
帳票の仕分けを行う帳票仕分け装置及び帳票の仕分けを実行する仕分け実行装置を含む帳票処理システムの前記帳票仕分け装置において、
営業店の窓口で顧客から受け取った帳票を走査することで画像データを入力し、該入力された帳票の画像データを一旦メモリに格納する画像入力手段と、
前記メモリ内の画像データから帳票画像を認識し、帳票の種類、収納先、金額、納期限、地域、営業店情報の帳票情報を獲得し、前記獲得した帳票情報をデータベースに格納して管理する帳票情報獲得手段と、
帳票の種類に応じてデータベースに格納されている仕分け情報に従い、帳票の仕分け方法を営業店の分類棚、事務センタの分類棚、収納先の分類棚について一意に決定する仕分方法決定手段と、
帳票の指定された位置に、前記仕分け方法及び前記帳票情報を印刷する印刷手段とを少なくとも備え、
前記仕分け情報は、営業店側装置と事務センタ側装置間のネットワークを介して更新可能であることを特徴とする帳票仕分け装置。
【請求項２】
帳票の仕分けを行う帳票仕分け装置及び帳票の仕分けを実行する仕分け実行装置を含む帳票処理システムの前記帳票仕分け装置において、
営業店の窓口で顧客から受け取った帳票を走査することで画像データを入力し、該入力された帳票の画像データを一旦メモリに格納する画像入力手段と、
前記メモリ内の画像データから帳票画像を認識し、帳票の種類、収納先、金額、納期限、地域、営業店情報の帳票情報を獲得し、前記獲得した帳票情報をデータベースに格納して管理する帳票情報獲得手段と、
帳票の種類に応じてデータベースに格納されている仕分け情報に従い、帳票の仕分け方法を営業店の分類棚、事務センタの分類棚、収納先の分類棚について一意に決定する仕分方法決定手段と、
帳票の指定された位置に、前記仕分け方法及び前記帳票情報を印刷する印刷手段と、
前記仕分方法決定手段で決定した前記仕分け方法及び前記帳票情報獲得手段で管理している帳票情報を基に帳票に対する集計を行う集計手段と、
前記帳票の仕分け方法を基に帳票を分類する分類手段とを備え、
前記仕分け情報は、営業店側装置と事務センタ側装置間のネットワークを介して更新可能とすることを特徴とする帳票仕分け装置。
【発明の詳細な説明】
【技術分野】
【０００１】
本発明は、銀行、信用金庫、信用組合、郵便局等の金融機関の各営業店側装置と事務センタ側装置をネットワークで接続した帳票処理システムに利用されるものである。
【０００２】
特に、本発明は、顧客によって持ち込まれた公共料金、税金等の納付書（以下「税公金帳票」又は、単に「帳票」と記す）の仕分け、集計、分類を含む処理を自動的に行えるようにした帳票処理システムの帳票仕分装置に関する。
【背景技術】
【０００３】
(1) ：従来の帳票（税公金帳票）例
図２１は従来の帳票例１、図２２は従来の帳票例２を示す。帳票例１は、個人市民税、個人県民税を納入するための帳票例であり、帳票例２は、個人市民税、個人都民税を納入するための帳票例である。
【０００４】
前記帳票例１、２は、３枚の帳票が切り取り線を介して連なっており、帳票処理の過程で切り離される。その１枚は「領収証書」であり、２枚目は「納入書（原符）」であり、３枚目は「納入済通知書」である。そして、３枚目の「納入済通知書」には、帳票例１の場合、ＯＣＲ−Ｂとして「７１３１０・・・０８０」のような数字が印字されている。また、帳票例２の場合、ＯＣＲ−Ｂとして「０３１１０・・・０６６」のような数字が印字されている。
【０００５】
(2) ：従来例１の説明
従来例１は、帳票の仕分、集計、分類等の作業を人手により行う例である。従来例１では、例えば、銀行等の金融機関の営業店において、顧客によって持ち込まれた帳票（税公金帳票）を窓口で受け取り、専門の担当者が大分類し、遠隔地の事務センタで更に詳細分類し、各地の金融機関（銀行、信用金庫、信用組合等）を経由して、県庁、市役所、区役所等の納付先に送付していた。
【０００６】
(3) ：従来例２の説明
従来例２は、特開平９−２８２３９５号公報に記載された帳票処理システムに関する発明（以下、「従来例２」と記す）である。従来例２は、帳票の収納先や科目毎の分類を行う装置を導入し、帳票処理を自動的に行う例である。以下、従来例２について詳細に説明する。
【０００７】
従来例２では、受け付けた各種の帳票に関する情報の集計処理及び各種帳票の分類処理を行う帳票処理システムにおいて、顧客窓口で受け付けた帳票に記載されている金額情報を入力する第１の入力手段と、受け付けた帳票に対して該帳票のそれぞれに固有に割り当てられた所定の識別情報及び前記金額情報を印字する印字手段と、前記印字手段によって印字された識別情報及び金額情報を読み出す情報読出手段と、受け付けた帳票のイメージを読み取るイメージ読取手段と、前記イメージ読取手段によって読み取られたイメージを表示すると共に、該表示されたイメージをもとに帳票に記載された帳票の種類及び科目を含む情報を入力する第２の入力手段と、印字手段が印字する識別情報を発行すると共に、情報読出手段によって入力された情報を帳票に関する情報として記憶・管理する管理手段と、前記管理手段によって管理されている帳票に関する情報を基に、帳票に対する集計処理を行う集計処理手段と、帳票に印字されている識別情報を読み取ると共に、該読み取られた識別情報に対応する帳票に関する情報を前記管理手段から獲得し、該獲得された帳票に関する情報を基に、帳票を分類する分類手段を具備したことを特徴とするものである。
【０００８】
また、前記第２の入力手段は、前記イメージ読取手段によって読み取られたイメージ（イメージデータ）を基に文字認識処理を行い、前記帳票に記載された帳票の種類及び科目を含む情報を入力すると共に、該文字認識処理による文字認識が不可能である帳票のイメージを表示し、該帳票に関するデータの修正入力を行うことを特徴としている。
【０００９】
また、前記管理手段と分類手段とはネットワークを介して接続され、前記管理手段及び分類手段は、前記帳票に関する情報を送受信することを特徴としている。
【先行技術文献】
【特許文献】
【００１０】
【特許文献１】特開平９−２８２３９５号公報
【発明の概要】
【発明が解決しようとする課題】
【００１１】
前記のような従来のものにおいては、次のような課題があった。
【００１２】
(1) ：前記従来例１では、税公金帳票は種類が多く、種類毎またはユーザの運用毎に仕分けが異なる為、帳票の仕分けには専門の担当者が必要であり、かつ、スキルの習得が困難であった。従って、専門の担当者を大勢配置するのも困難であり、かつ、専門の担当者であっても、帳票処理に手間と時間がかかり帳票処理の効率が極めて悪かった。
【００１３】
(2) ：従来例２では、帳票処理システムを導入して帳票処理の効率化を図っているが十分ではない。すなわち、税公金帳票の種類は多いため、実際に全種類数分のスタッカ及び分類棚（又は袋）を配備することは不可能であり、その他の帳票も存在するため、自動化を実現するのは難しい。
【００１４】
本発明は、このような従来の課題を解決し、専門知識を有する担当者の処理を不要とし、帳票処理を自動化することで帳票処理の効率化を図ることを目的とする。
【課題を解決するための手段】
【００１５】
本発明は前記の目的を達成するため、次のように構成した。
【００１６】
(1) ：帳票の仕分けを行う帳票仕分け装置及び帳票の仕分けを実行する仕分け実行装置を含む帳票処理システムの前記帳票仕分け装置において、営業店の窓口で顧客から受け取った帳票を走査することで画像データを入力し、該入力された帳票の画像データを一旦メモリに格納する画像入力手段と、前記メモリ内の画像データから帳票画像を認識し、帳票の種類、収納先、金額、納期限、地域、営業店情報の帳票情報を獲得し、前記獲得した帳票情報をデータベースに格納して管理する帳票情報獲得手段と、帳票の種類に応じてデータベースに格納されている仕分け情報に従い、帳票の仕分け方法を営業店の分類棚、事務センタの分類棚、収納先の分類棚について一意に決定する仕分方法決定手段と、帳票の指定された位置に、前記仕分け方法及び前記帳票情報を印刷する印刷手段とを少なくとも備え、前記仕分け情報は、営業店側装置と事務センタ側装置間のネットワークを介して更新可能であることを特徴とする。
【００１７】
(2) ：帳票の仕分けを行う帳票仕分け装置及び帳票の仕分けを実行する仕分け実行装置を含む帳票処理システムの前記帳票仕分け装置において、営業店の窓口で顧客から受け取った帳票を走査することで画像データを入力し、該入力された帳票の画像データを一旦メモリに格納する画像入力手段と、前記メモリ内の画像データから帳票画像を認識し、帳票の種類、収納先、金額、納期限、地域、営業店情報の帳票情報を獲得し、前記獲得した帳票情報をデータベースに格納して管理する帳票情報獲得手段と、帳票の種類に応じてデータベースに格納されている仕分け情報に従い、帳票の仕分け方法を営業店の分類棚、事務センタの分類棚、収納先の分類棚について一意に決定する仕分方法決定手段と、帳票の指定された位置に、前記仕分け方法及び前記帳票情報を印刷する印刷手段と、前記仕分方法決定手段で決定した前記仕分け方法及び前記帳票情報獲得手段で管理している帳票情報を基に帳票に対する集計を行う集計手段と、前記帳票の仕分け方法を基に帳票を分類する分類手段とを備え、前記仕分け情報は、営業店側装置と事務センタ側装置間のネットワークを介して更新可能とすることを特徴とする。
【００１８】
（作用）
前記構成に基づく本発明の作用を、図１に基づいて説明する。図１に示した営業店側装置（帳票仕分け装置１、仕分け実行装置２）と事務センタ側装置（仕分け実行装置２）間をネットワークで接続して帳票処理システムを構成し、営業店側装置から事務センタ側装置へ仕分け方法と帳票情報を印刷した印刷済み帳票３等をトラック便等により搬送すると共に、前記両装置間でネットワークを介しデータベース（ＤＢ）の転送を行うことで次のような処理を行う。
【００１９】
(a) ：前記(1) の帳票仕分け装置１において、画像入力手段は、営業店の窓口で顧客から受け取った帳票（税公金帳票）を走査することで画像データ（帳票のイメージデータ）を入力し、該入力された帳票の画像データを一旦メモリに格納する。そして、帳票情報獲得手段は、前記メモリ内の画像データから帳票画像を認識し、帳票の種類、収納先、金額、納期限、地域、営業店情報の帳票情報を獲得し、前記獲得した帳票情報をデータベースに格納して管理する。
【００２０】
次に、仕分方法決定手段は、帳票の種類に応じてデータベースに格納されている仕分け情報に従い、帳票の仕分け方法を営業店の分類棚、事務センタの分類棚、収納先の分類棚について一意に決定する。そして、印刷手段は、帳票の指定された位置に、前記仕分け方法及び前記帳票情報を印刷する。この場合、データベースの仕分け情報は、営業店側装置と事務センタ側装置間のネットワークを介して更新可能とする。
【００２１】
このようにすれば、専門知識を有する担当者の処理を不要とし、帳票処理を自動化することができるので、帳票処理の効率化を図ることが可能である。また、多数の帳票（税公金帳票）の現物を簡単に集計し、分類することができる。
【００２２】
(b) ：前記(2) の帳票仕分け装置１において、画像入力手段は、営業店の窓口で顧客から受け取った帳票を走査することで画像データを入力し、該入力された帳票の画像データを一旦メモリに格納する。そして、帳票情報獲得手段は、メモリ内の画像データから帳票画像を認識し、帳票の種類、収納先、金額、納期限、地域、営業店情報の帳票情報を獲得し、前記獲得した帳票情報をデータベースに格納して管理する。
【００２３】
次に、仕分方法決定手段は、帳票の種類に応じてデータベースに格納されている仕分け情報に従い、帳票の仕分け方法を営業店の分類棚、事務センタの分類棚、収納先の分類棚について一意に決定する。そして、印刷手段は、帳票の指定された位置に、前記仕分け方法及び前記帳票情報を印刷する。次に、集計手段は、データベースの仕分け情報は、営業店側装置と事務センタ側装置間のネットワークを介して更新し、仕分方法決定手段で決定した仕分け方法及び帳票情報獲得手段で管理している帳票情報を基に帳票に対する集計を行う。そして、分類手段は、帳票の仕分け方法を基に帳票を分類する。
【００２４】
このようにすれば、専門知識を有する担当者の処理を不要とし、帳票処理を自動化することができるので、帳票処理の効率化を図ることが可能である。また、多数の帳票（税公金帳票）の現物を簡単に集計し、分類することができる。
【００２５】
更に、帳票情報獲得手段は、帳票を判別して文字認識することで収納先や金額を含む帳票情報を獲得する。このようにすれば、帳票判別の専門家が不要となり、帳票処理の自動化が図れる。
【発明の効果】
【００２６】
(1) ：請求項１では、帳票仕分け装置は、画像入力手段が帳票を読み取り帳票画像を入力し、帳票情報獲得手段が入力した帳票画像から収納先や金額、納期限、地域、営業店情報の帳票情報を獲得して管理し、仕分方法決定手段が前記獲得した帳票情報及びデータベースの仕分け情報を基に帳票の仕分け方法を営業店の分類棚、事務センタの分類棚、収納先の分類棚について一意に決定し、印刷手段が前記帳票情報及び前記決定した帳票の仕分け方法を帳票に印刷する。
【００２７】
このように、帳票に仕分け方法や帳票情報を印刷しておけば、その帳票に印刷された仕分け方法や帳票情報を読み取るだけで、自動的に帳票の仕分け、帳票に対する集計や分類を間違いなく、かつ自動的に行うことができる。また、帳票の種類が多数あっても、帳票と、該帳票の仕分け方法が常に間違いなく正確に把握できるので、専門知識を有する担当者がいなくても、多種類の帳票の処理を簡単に行うことができ、帳票処理の効率化を図ることが可能になる。また、多数の帳票（税公金帳票）の現物を簡単に集計し、分類することができる。
【００２８】
(2) ：請求項２では、帳票仕分け装置は、帳票画像入力手段が帳票を読み取って帳票画像を入力し、帳票情報獲得手段が入力した帳票画像から収納先や金額、納期限、地域、営業店情報の帳票情報を獲得して管理し、仕分方法決定手段が前記獲得した帳票情報及びデータベースの仕分け情報を基に帳票の仕分け方法を営業店の分類棚、事務センタの分類棚、収納先の分類棚について一意に決定し、印刷手段が前記帳票情報及び前記決定した帳票の仕分け方法を帳票に印刷する。
【００２９】
そして、集計手段が前記決定した仕分方法及び帳票情報獲得手段で管理している帳票情報を基に帳票に対する集計を行い、分類手段が前記帳票の仕分方法を基に帳票を分類する。
【００３０】
このようにすれば、専門知識を有する担当者の処理を不要とし、帳票処理を自動化することができるので、帳票処理の効率化を図ることが可能である。また、多数の帳票（税公金帳票）の現物を簡単に集計し、分類することができる。
【図面の簡単な説明】
【００３１】
【図１】本発明の原理説明図である。
【図２】本発明の実施の形態におけるシステム説明図である。
【図３】本発明の実施の形態における営業店内装置説明図である。
【図４】本発明の実施の形態における事務センタ内装置説明図である。
【図５】本発明の実施の形態における営業店内装置の処理説明図（その１）である。
【図６】本発明の実施の形態における営業店内装置の処理説明図（その２）である。
【図７】本発明の実施の形態における事務センタ内装置の処理説明図である。
【図８】本発明の実施の形態における帳票情報獲得部の詳細構成図と仕分け情報印刷例であり、Ａ図は帳票情報獲得部の詳細構成図、Ｂ図は仕分け方法印刷例である。
【図９】本発明の実施の形態における仕分け方法更新部の詳細図である。
【図１０】本発明の実施の形態における帳票情報獲得部の処理フローチャートである。
【図１１】本発明の実施の形態における仕分け方法決定部／印刷部の処理フローチャートである。
【図１２】本発明の実施の形態における営業店の帳票仕分け装置における集計部／分類部の処理フローチャートである。
【図１３】本発明の実施の形態における事務センタ側仕分け実行装置の処理フローチャートである。
【図１４】本発明の実施の形態における仕分け方法更新部の処理フローチャートである。
【図１５】本発明の実施の形態におけるＯＣＲ−Ｂによる仕分け方法印刷例である。
【図１６】本発明の実施の形態における帳票の仕分け／移送時の説明図であり、Ａ図は仕分け／移送順番、Ｂ図は仕分け方法印刷例である。
【図１７】本発明の実施の形態における仕分け／移送時の説明図である。
【図１８】本発明の実施の形態における棚を２段階で活用する場合の説明図である。
【図１９】本発明の実施の形態における地域毎に収納先の経路が変わる場合の説明図である。
【図２０】本発明の実施の形態における時期毎に収納先の経路が変わる場合の説明図である。
【図２１】従来の帳票例１である。
【図２２】従来の帳票例２である。
【発明を実施するための形態】
【００３２】
以下、本発明の実施の形態を図面に基づいて詳細に説明する。なお、以下の説明では、データベースを「ＤＢ」とも記す。
【００３３】
§１：システム構成の説明
図２はシステムの説明図である。前記帳票処理システムは、図２に示したように、銀行等の金融機関の各営業店（複数の店舗）と、帳票等に関する事務処理を行う事務センタと、指定金融機関（帳票の取り扱いを指定された金融機関）と、収納先（市役所、県庁等）と、指定金融機関以外の収納先等を含むシステムである。
【００３４】
また、銀行等の金融機関の各営業店（複数の店舗）と、帳票等に関する事務を行う事務センタと、指定金融機関（帳票の取り扱いを指定された金融機関）と、収納先（市役所、県庁等）と、指定金融機関以外の収納先との間には、帳票等を運搬するためのトラック便（帳票、納付金の明細書等の輸送手段）が運行している。
【００３５】
この場合、前記各営業店、事務センタ、及び指定金融機関には、それぞれワークステーション等のコンピュータが設置されており、各営業店と事務センタと指定金融機関のコンピュータ間がネットワークで接続されている。そして、各営業店で収集された帳票（税公金帳票）は、本店、若しくは事務センタ等で一旦収集され、或るものは指定金融機関を経由して収納先へ、或るものは、直接収納先へ媒体現物、現金、明細表などと共にトラック便で搬送される。
【００３６】
すなわち、前記各営業店と事務センタは、ネットワーク等の通信手段を介してデータベース（ＤＢ）のやり取りを行う。そして、一旦、分類され棚に集められた帳票（以下「媒体」とも記す）は、営業店や事務センタにおいて、袋や箱に詰められた後、営業店から事務センタへ、又は、事務センタから指定金融機関又は指定金融機関以外の収納先へ、又、指定金融機関から収納先へトラック便により運搬されるようになっている。
【００３７】
§２：営業店内装置の説明
図３は営業店内装置説明図である。前記各営業店内には、帳票仕分装置１と仕分け実行装置２を含む各種装置（コンピュータ等を含む装置）が設置されている。以下、前記帳票仕分装置１と仕分け実行装置２について説明する。
【００３８】
(1) ：帳票仕分け装置の説明
帳票仕分け装置１には、画像入力部１１、帳票情報獲得部１２、仕分け方法決定部１３、印刷部１４、集計部１５、分類部１６、データベース（以下「ＤＢ」と記す）１７、メモリ１９等が設けてあり、主制御手段（ＣＰＵ等）により制御されるようになっている。なお、前記帳票情報獲得部１２、仕分け方法決定部１３、印刷部１４の印刷データの処理、集計部１５、分類部１６はプログラムの実行により実現する処理手段である。この場合、ＤＢ１７には、仕分け情報ＤＢ等の処理に必要なデータを予め格納しておくものとする。
【００３９】
画像入力部１１では、営業店の窓口で顧客から受け取った帳票（税公金帳票）をイメージリーダ等の画像入力装置で走査し、画像データ（イメージデータ）を入力する。この時、入力された帳票（媒体）の画像データは一旦、メモリ１９に格納される。
【００４０】
次に、帳票情報獲得部１２は、メモリ１９内の画像データから帳票画像を認識し、帳票の種類（以下「帳票種」とも記す）、収納先、金額（納付金額等）等の帳票情報を獲得する。そして、前記獲得した帳票情報はＤＢ１７に帳票情報ＤＢとして格納しておく。
【００４１】
仕分け方法決定部１３では、帳票種に応じて、ＤＢ（データベース）１７の仕分け情報ＤＢに従い、帳票の仕分け方法を一意に決定する。印刷部１４では、帳票（媒体）の指定された位置に、仕分け方法及び帳票情報を印刷する。この場合、可視情報として印刷する場合は、帳票の裏面の一部とする。
【００４２】
また、帳票に印刷する印刷情報は、人が読める情報、すなわち、ＯＣＲ−Ｂフォント等のパーソナルコンピュータやワークステーション等で解析可能な情報、又はバーコード等でも良い。又、前記印刷情報は、可視情報、又は不可視情報のどちらでも良い。
【００４３】
なお、不可視情報として、ステルスバーコードで仕分け方法を印刷する場合は、帳票表面の指定された位置（予め印刷された情報がある位置でもよい）に印刷しても良い。前記ステルスバーコードは、ＯＣＲでは読めない不可視コードであり、専用の読み取り装置により読み取ることができるコードである。従って、予め情報が印刷された上にステルスバーコードを印刷しても、帳票上の情報の読み取りには何ら支障はない。
【００４４】
集計部１５は、前記仕分け方法決定部１３で決定した仕分け方法及び前記帳票情報を基に、帳票の集計処理を行う。この集計では、帳票種毎／仕分け先毎に、帳票の枚数、合計金額を算出し、ＤＢ１７に、集計情報ＤＢを作成する。
【００４５】
分類部１６は、ディスプレイ装置の表示画面に表示された仕分け先の棚（又は袋）へ配付するか、又は指定された先へ、搬送装置等を使用して自動分類する。
【００４６】
(2) ：仕分け実行装置の説明
各営業店内の仕分け実行装置２には、印刷情報読取部２１、集計部１５、分類部１６、ＤＢ１７等が設けてあり、主制御手段（ＣＰＵ等）により制御されるようになっている。この仕分け実行装置２は、前記帳票仕分け装置１の印刷部１４で印刷された印刷済み帳票から仕分け方法や帳票情報を読み取り、その情報を用いて集計処理や分類処理を行う。
【００４７】
先ず、印刷情報読取部２１は前記印刷済みの帳票から仕分け方法や帳票情報を読み取る。この場合、スキャナや、不可視情報専用読取機等により印刷済み帳票の読み取り処理を行う。その後、集計部１５では前記印刷情報読取部２１により読み取った仕分け方法及び帳票情報を基に帳票の集計を行う。この集計では、帳票種毎／仕分け先毎に、帳票の枚数、合計金額を算出し、ＤＢ１７に集計情報ＤＢを作成する。
【００４８】
次に、分類部１６はディスプレイ装置の表示画面に表示された仕分け先の棚（又は袋）へ配付するか、又は指定された先へ、搬送装置等を使用して自動分類する。なお、営業店内の仕分け実行装置２は、帳票仕分け装置で処理できなかった帳票について、仕分け方法及び帳票情報を印刷した帳票から前記仕分け方法及び帳票情報を読み出し、再度詳細な仕分けを行うための装置である。
【００４９】
§３：事務センタ内装置の説明
事務センタ内には、図４に示した仕分け実行装置２が設けてある。この仕分け実行装置２には、前記各営業店からネットワークを介して転送されたＤＢ１７と、該ＤＢ１７のデータを更新するための仕分け方法更新部１８等が設けてある。また、印刷情報を読み取るための印刷情報読取部２１と、集計部１５と、分類部１６等が設けてあり、図示しない主制御手段（ＣＰＵ等）により制御されるようになっている。なお、前記仕分け方法更新部１８、集計部１５、分類部１６はプログラムの実行により実現する処理手段である。
【００５０】
先ず、印刷情報読取部２１では、前記各営業店で仕分け方法及び帳票情報が印刷された印刷済み帳票から仕分け方法と帳票情報を読み取る。この場合、スキャナや、不可視情報専用読取機等により印刷済み帳票の読み取り処理を行う。
【００５１】
その後、集計部１５は、前記印刷情報読取部２１が読み取った仕分け方法及び帳票情報を基に帳票の集計を行う。この集計では、帳票種毎／仕分け先毎に、帳票の枚数、合計金額を算出し、ＤＢ１７に集計情報ＤＢを作成する。次に、分類部１６はディスプレイ装置の表示画面に表示された仕分け先の棚（又は袋）へ配付するか、又は指定された先へ、搬送装置等を使用して自動分類する。
【００５２】
また、仕分け方法更新部１８は、ＤＢ１７の仕分け情報ＤＢ（仕分け方法を含む情報のＤＢ）を随時更新する処理を行うが、この場合、ＤＢ１７内の仕分け情報を帳票種や地域情報（市町村合併等による地域情報の変更等）、金融機関情報（金融機関の合併等による変更等）などから随時更新し、仕分け情報ＤＢを作成する。
【００５３】
なお、事務センタ内の仕分け実行装置２は、各営業店内の仕分け実行装置２と同じ構成であるが、各営業店内の仕分け実行装置２より更に詳細な集計や分類（各営業店の装置で出来なかった処理）を行う。
【００５４】
§４：前記各営業店の営業店内装置の処理説明
図５は営業店内装置の処理説明図（その１）、図６は営業店内装置の処理説明図（その２）である。以下、前記各営業店内に設置された営業店内装置の処理を説明する。
【００５５】
(1) ：帳票仕分け装置の処理
図５に示した帳票仕分け装置は次のようにして処理を行う。この場合、ＤＢ１７には、帳票情報ＤＢ、仕分け情報（仕分け方法の情報）ＤＢ、集計情報ＤＢ、帳票種情報ＤＢ等の各種ＤＢの内、処理に必要なデータが格納されているものとする。
【００５６】
先ず、画像入力部１１は、営業店の窓口で顧客から受け取った帳票（税公金帳票）をイメージリーダ（又はスキャナ）等の画像入力装置で走査し、画像データ（帳票イメージデータ）を入力し、メモリ１９に格納する。次に、帳票情報獲得部１２は前記メモリ１９内の画像データから帳票画像を認識し、帳票の種類（以下「帳票種」とも記す）、収納先、金額（納付金額）等の記載されている情報を獲得する。この場合、帳票情報獲得部１２は帳票を判別して文字認識することで収納先や金額を含む帳票情報を獲得する。
【００５７】
仕分け方法決定部１３は帳票種に応じて、ＤＢ１７の仕分け情報ＤＢに従い、帳票の仕分け方法を一意に決定する。そして、印刷部１４は、帳票（媒体）の指定された位置に仕分け方法及び帳票情報を印刷する。
【００５８】
集計部１５は仕分け方法決定部１３で決定した仕分け方法及び前記帳票情報獲得部１２が獲得した帳票情報を基に、帳票に対する集計を行う。この集計では、帳票種毎／仕分け先毎に、帳票の枚数、合計金額を算出し、ＤＢ１７に集計情報ＤＢを作成する。分類部１６は、ディスプレイ装置の表示画面に表示された仕分け先の棚（又は袋）へ配付するか、又は指定された先へ、搬送装置等を使用して自動分類する。
【００５９】
(2) ：仕分け実行装置の処理
図６に示した仕分け実行装置２では次のようにして処理を行う。先ず、印刷情報読取部２１は、仕分け方法及び帳票情報を印刷した仕分け方法／帳票情報印刷済み帳票３から仕分け方法及び帳票情報を読み取る。この場合、スキャナや、不可視情報専用読取機等により印刷済み帳票の読み取り処理を行う。
【００６０】
その後、集計部１５は前記印刷情報読取部２１が読み取った仕分け方法及び帳票情報を基に帳票の集計を行う。この集計では、帳票種毎／仕分け先毎に、帳票の枚数、合計金額を算出しＤＢ１７に集計情報ＤＢを作成する。次に、分類部１６はディスプレイ装置の表示画面に表示された仕分け先の棚（又は袋）へ配付するか、又は指定された先へ、搬送装置等を使用して自動分類する。
【００６１】
§５：事務センタ内装置の処理説明
図７は事務センタ内装置の処理説明図である。以下、図７に基づいて事務センタ内の仕分け実行装置の処理を説明する。なお、事務センタの仕分け実行装置２は、各営業店で行った仕分けよりも更に詳細な仕分け（営業店で仕分け出来なかった帳票の仕分け）を行う。
【００６２】
先ず、印刷情報読取部２１は、仕分け方法及び帳票情報を印刷した仕分け方法／帳票情報印刷済み帳票３から仕分け方法及び帳票情報を読み取る。この場合、スキャナや、不可視情報専用読取機等により印刷済み帳票の読み取り処理を行う。その後、集計部１５は、前記印刷情報読取部２１が読み取った仕分け方法及び帳票情報を基に帳票の集計を行う。この集計では帳票種毎／仕分け先毎に、帳票の枚数、合計金額を算出し、ＤＢ１７に集計情報ＤＢを作成する。
【００６３】
次に、分類部１６はディスプレイ装置の表示画面に表示された仕分け先の棚（又は袋）へ配付するか、又は指定された先へ、搬送装置等を使用して自動分類する。
【００６４】
また、仕分け方法更新部１８は、ＤＢ１７の仕分け情報ＤＢに対する更新処理を随時行う。この更新は、例えば、銀行の合併等により仕分け先が変更された場合等に行う。なお、事務センタで更新されたＤＢ１７は、ネットワークを介して各営業店側装置へ転送され、営業店側装置のＤＢ１７も更新する。
【００６５】
§６：帳票情報獲得部の詳細な構成と、仕分け情報印刷例
図８は帳票情報獲得部の詳細構成図と仕分け情報印刷例であり、Ａ図は帳票情報獲得部の詳細構成図、Ｂ図は仕分け方法印刷例である。
【００６６】
(1) ：帳票情報獲得部の詳細な説明
図８に示したように、前記帳票情報獲得部１２には、帳票判別部３１と、項目抽出部３２と、文字認識部３３と、訂正部３４、確認部３５を備えている。前記帳票判別部３１は、前記メモリ１９（図３参照）内に格納された帳票画像を基に、ＤＢ１７の帳票情報ＤＢを参照して帳票の判別を行う。そして、帳票種指定（帳票種を決定）を行う。
【００６７】
また、項目抽出部３２は、帳票判別部３１が判別した帳票（帳票画像）から帳票上の項目を抽出する処理を行い、文字認識部３３は、前記抽出された項目毎の文字を認識する。この時、前記文字認識により、帳票の納付先や金額等の情報を獲得する。そして、確認部３５が文字認識結果を確認し、誤りがあった場合、訂正部３４が前記誤りを訂正する。
【００６８】
(2) ：仕分け方法印刷例
帳票に印刷する仕分け方法印刷例を図８のＢ図に示す。この例では、番号１は営業店ＥＡの分類棚１番、番号２は事務センタＣＡの分類棚２番、番号３は事務センタＣＢの分類棚３番、番号４は収納先ＳＡの４課、のようなものである。この場合、前記仕分け方法（仕分け情報）を「ＥＡ１−ＣＡ２−ＣＢ３−ＳＡ４」のように記述し、帳票に印刷するものとする。
【００６９】
§７：仕分け方法更新部の詳細な説明
図９は仕分け方法更新部の詳細図である。前記仕分け方法更新部１８の詳細な構成は次の通りである。
【００７０】
前記仕分け方法更新部１８では、仕分け方法更新部主制御部４１が装置全体の制御を行い、ＤＢ１７の仕分け情報ＤＢの内容（仕分け情報ＤＢの内容）を更新する。具体的には、地域情報制御部４１が地域情報ＤＢの制御を行い、取扱金融機関情報制御部４２が取扱金融機関情報ＤＢの制御を行い、帳票種情報制御部４３が帳票種情報ＤＢの制御を行い、センタ情報制御部４４がセンタ情報ＤＢの制御を行い、営業店情報制御部４５が営業店情報ＤＢの制御を行うことで、仕分け情報ＤＢの更新を行う。なお、事務センタで更新されたＤＢ１７は、ネットワークを介して各営業店側装置へ転送され、営業店側装置のＤＢ１７も更新する。
【００７１】
§８：帳票情報獲得部の処理の説明
図１０は帳票情報獲得部の処理フローチャートである。以下、図３、５を参照しながら図１０に基づいて帳票情報獲得部１２（図３、図５参照）の処理を説明する。なお、Ｓ１〜Ｓ１１は各処理ステップを示す。
【００７２】
帳票情報獲得部１２は次のように処理を行う。帳票情報獲得部１２は、先ず、メモリ１９に格納されている帳票画像（画像入力部１１により入力した画像）を入力し（Ｓ１）、ＯＣＲ−Ｂ（ＯＣＲ読み取り用フォント）は有るかを判断する（Ｓ２）。その結果、ＯＣＲ−Ｂが有れば、ＯＣＲ−Ｂを解析する（Ｓ３）。次に、ＯＣＲ帳票用の帳票種ＤＢ読み取りを行い（Ｓ４）、帳票種決定を行う（Ｓ５）。次に、決定した帳票種の項目情報を読み取り（Ｓ６）、項目切り出しを行って（Ｓ７）、文字認識を行い（Ｓ８）、処理を終了する。。
【００７３】
一方、Ｓ２の処理において、ＯＣＲ−Ｂが無ければ、罫線を抽出し（Ｓ９）、罫線解析を行う（Ｓ１０）。そして、非ＯＣＲ用の帳票種ＤＢ読み取りを行い（Ｓ１１）、この処理を終了する。なお、帳票情報獲得部１２の前記処理により、帳票種／金額／納期限／地域・営業店情報等の帳票情報を獲得する。
【００７４】
§９：仕分け方法決定部／印刷部の処理の説明
図１１は仕分け方法決定部／印刷部の処理フローチャートである。以下、図３、５を参照し、図１１に基づいて仕分け方法決定部／印刷部の処理を説明する。なお、Ｓ２１〜Ｓ２８は各処理ステップを示す。
【００７５】
前記仕分け方法決定部１３は次のように処理を行う。先ず、仕分け方法決定部１３は、帳票情報獲得部１２が獲得した帳票種／金額／納期限／地域・営業店情報を入力する（Ｓ２１）。そして、ＤＢ１７から地域情報を検索し（Ｓ２２）、ＤＢ１７から取扱金融機関情報を検索し（Ｓ２３）、ＤＢ１７から帳票種情報を検索し（Ｓ２４）、ＤＢ１７からセンタ情報を検索し（Ｓ２５）、ＤＢ１７から営業店情報を検索し（Ｓ２６）、ＤＢ１７から地域、取扱金融機関、帳票種、センタ、営業店等の情報から仕分け情報を検索する（Ｓ２７）。
【００７６】
その後、印刷部１４は、全データ（仕分け方法及び帳票情報）を帳票に印刷して（Ｓ２８）、この処理を終了する。なお、前記処理を行う前に、前記ＤＢ１７には、地域情報、取扱金融機関情報、事務センタ情報（センタ情報）、営業店情報等を格納しておくものとする。
【００７７】
§１０：営業店の帳票仕分け装置における集計部／分類部の処理の説明
図１２は営業店の帳票仕分け装置における集計部／分類部の処理フローチャートである。以下、図３，５を参照し、図１２に基づいて営業店の帳票仕分け装置における集計部／分類部の処理を説明する。なお、Ｓ３１〜Ｓ３３は各処理ステップを示す。
【００７８】
営業店内の帳票仕分け装置１の集計部１６は、帳票種毎／仕分け先毎に、帳票の枚数、合計金額を計算し（Ｓ３１）ＤＢ１７に集計情報ＤＢを作成する。そして、集計処理の明細書を印刷する（Ｓ３２）。次に、分類部１６は、分類結果に応じて、帳票を分類棚（又は袋）に入れる（Ｓ３３）。
【００７９】
§１１：事務センタの仕分け実行装置の処理の説明
図１３は事務センタ側仕分け実行装置の処理フローチャートである。以下、図７を参照し図１３に基づいて、事務センタ側仕分け実行装置の処理を説明する。なお、Ｓ４１〜Ｓ４７は各処理ステップを示す。
【００８０】
前記事務センタ内に設けた仕分け実行装置２は次のように処理を行う。この処理では、各営業店で処理された処理済み帳票をトラック便で搬送し、この処理済み帳票（仕分け方法／帳票情報印刷済み帳票３）を用いて仕分け実行処理を行うものである。
【００８１】
先ず、印刷情報読取部２１は、仕分け方法／帳票情報印刷済み帳票３から、印刷された仕分け方法及び帳票情報を読み取る（Ｓ４１）。次に、集計部１５は、ＤＢ１７の仕分け情報ＤＢを参照し、前記読み取った情報を解析し（Ｓ４２）、営業店毎に、帳票の金額、枚数を計算する（Ｓ４３）。次に、ＤＢ１７の営業店毎の集計情報ＤＢを参照し前記計算結果を確認する（Ｓ４４）。
【００８２】
続いて、センタ（事務センタ）毎に、金額、枚数を計算し（Ｓ４５）、明細書印刷を行う（Ｓ４６）。次に、分類部１６は、Ｓ４１で読み取った情報に従い、分類棚（又は袋）に入れ（Ｓ４７）、この処理を終了する。
【００８３】
§１２：仕分け方法更新部の処理の説明
図１４は仕分け方法更新部の処理フローチャートである。以下、図４、７を参照し、図１４に基づいて仕分け方法更新部１８の処理を説明する。なお、Ｓ５１〜Ｓ５６は各処理ステップを示す。なお、以下の処理を始める前に、ＤＢ１７の仕分け情報ＤＢに対し、削除するデータには「削除コード」を、追加するデータには「追加コード」を付加しておくものとする。
【００８４】
前記仕分け方法更新部１８では次のように処理を行う。先ず、ＤＢを検索し、削除コードが有るか否かを判断し（Ｓ５１）、削除コードが無ければ（Ｓ５２）、ＤＢを検索し、追加コードがあるか否かを判断する（Ｓ５３）。その結果、追加コードが無ければ（Ｓ５４）、この処理を終了する。
【００８５】
一方、Ｓ５２の処理で、削除コードが有れば、削除コードのあるデータを削除し（Ｓ５６）、Ｓ５３の処理へ移行する。また、Ｓ５４の処理で、追加コードが有れば、追加コードの有るデータを追加し（Ｓ５５）、この処理を終了する。なお、前記仕分け方法更新処理により更新されたＤＢ１７は、事務センタから各営業店側装置へ転送され、各営業店のＤＢ１７を更新する。
【００８６】
§１３：ＯＣＲ−Ｂによる仕分け方法印刷例の説明
図１５はＯＣＲ−Ｂによる仕分け方法印刷例を示した図である。この例では、図１５の１〜６のように、各営業店の名前、棚名がコード化されているものとする。
【００８７】
１では、営業店名前がＥＡ、ＥＢ、ＥＣであり、これに対応した営業店コードが１０１、１０２、１０３となっている。２では、営業店棚名が、１番、２番、３番であり、これに対応する営業店棚コードが、１００１、１００２、１００３となっている。３では、センタ（事務センタ）名前が、ＣＡ、ＣＢ、ＣＣであり、これに対応してセンタコードが、２０１、２０２、２０３となっている。
【００８８】
４では、センタ棚名が、１番、２番、３番であり、これに対応して、センタ棚コードが、２００１、２００２、２００３となっている。５では、収納先名前が、ＳＡ、ＳＢ、ＳＣであり、これに対応して営業店コードが、３０１、３０２、３０３となっている。６では、収納先棚名が、１番、２番、３番、４番であり、これに対応して、収納先棚コードが、３００１、３００２、３００３、３００４となっている。
【００８９】
§１４：帳票の仕分け／移送時の説明
図１６は帳票の仕分け／移送時の説明図であり、Ａ図は仕分け／移送順番、Ｂ図は仕分け方法印刷例を示す。
【００９０】
各営業店やセンタの名前等が図１５に示したようにコード化されている場合、図１６のＡ図の順番（１〜４）で仕分けされ、移送されるものとする。すなわち、順番が１は営業店ＥＡの分類棚１番、２はセンタＣＡの分類棚２番、３はセンタＣＢの分類棚３番、４は収納先ＳＡの４課となる。この仕分け情報（仕分け方法）を図１６のＢ図のように帳票に印刷する。
【００９１】
この例では、帳票に印刷される仕分け情報（仕分け方法）は、「０４１０１１００１２０１２００２２０２２００３３０１３００４」のようになる。この場合、図１６のＢ図に示した(1) 〜(9) の内容は次の通りである。
【００９２】
番号(1) のコード「０４」の内容は総移送先数、番号(2) のコード「１０１」の内容は帳票を受理した営業店名前のコード、番号(3) のコード「１００１」の内容は番号(2) の棚コードのコード、番号(4) のコード「２０１」の内容は次の移送先名のコード、番号(5) のコード「２００２」の内容は番号(4) の棚コード、番号(6) のコード「２０２」の内容は次の移送先名のコード、番号(7) のコード「２００３」の内容は番号(6) の棚コード、番号(8) のコード「３０１」の内容は収納先名コード、番号(9) のコード「３００４」の内容は番号(8) の棚コードである。
【００９３】
§１５：具体例による仕分け／移送時の処理説明
以下、具体例による仕分け／移送時の処理を説明する。
【００９４】
(1) ：例１
図１７は仕分け／移送時の説明図である。この場合、仕分け情報ＤＢが図示のようになっていたとする。すなわち、ＤＢ１７の仕分け情報ＤＢによれば、帳票名＝帳票１では、地域＝Ａ、時期＝ＡＬＬ、店数＝３、店名＝ＥＡは１ｓｔ＝１、２ｎｄ＝無し、店名＝ＣＡは１ｓｔ＝１で２ｎｄ＝無し、店名＝ＳＡは１ｓｔ＝１で２ｎｄ＝無しである。
【００９５】
また、帳票名＝帳票２では、地域＝Ａ、時期＝ＡＬＬ、店数＝３、店名＝ＥＡは１ｓｔ＝２、２ｎｄ＝無し、店名＝ＣＡは１ｓｔ＝１で２ｎｄ＝無し、店名＝ＳＢは１ｓｔ＝１で２ｎｄ＝無しである。なお、前記「１ｓｔ」は１段階、「２ｓｔ」は２段階の仕分けのことである。
【００９６】
このように仕分け情報ＤＢの場合、帳票１には「ＥＡ１−ＣＡ１−ＳＡ１」のコードが仕分け方法として印刷される。従って、このような帳票１は、営業店ＥＡの１番の棚から事務センタＣＡの１番の棚へ１段階で仕分け／移送され、更に、収納先ＳＡの１番の棚へ１段階で仕分け／移送される。
【００９７】
また、帳票２は、営業店ＥＡの２番の棚から事務センタＣＢの１番の棚へ１段階で仕分け／移送され、更に、収納先ＳＢの１番の棚へ１段階で仕分け／移送される。
【００９８】
(2) ：例２
図１８は、棚を２段階で活用する場合の説明図である。この場合、仕分け情報ＤＢが図示のようになっていたとする。すなわち、仕分け情報ＤＢによれば、帳票名＝帳票１では、地域＝Ａ、時期＝ＡＬＬ、店数＝３、店名＝ＥＡは１ｓｔ（１回目の棚番号）＝１で２ｎｄ＝無し、店名＝ＣＡは１ｓｔ＝１で２ｎｄ＝無し、店名＝ＳＡは１ｓｔ＝１で２ｎｄ＝無しである。
【００９９】
また、帳票名＝帳票２では、地域＝Ａ、時期＝ＡＬＬ、店数＝３、店名＝ＥＡは１ｓｔ＝２で２ｎｄ＝無し、店名＝ＣＢは１ｓｔ＝１で２ｎｄ＝無し、店名＝ＳＡは１ｓｔ＝２で２ｎｄ＝無しである。
【０１００】
また、帳票名＝帳票３では、地域＝Ａ、時期＝ＡＬＬ、店数＝３、店名＝ＥＡは１ｓｔ＝Ｚで２ｎｄ＝２、店名＝ＣＡは１ｓｔ＝Ｚで２ｎｄ＝無し、店名＝ＳＡは１ｓｔ＝Ｚで２ｎｄ＝無しである。
【０１０１】
このように仕分け情報ＤＢの場合、帳票１には「ＥＡ１−ＣＡ１−ＳＡ１」のコードが仕分け方法として印刷される。従って、このような帳票１は、営業店ＥＡの１番の棚から事務センタＣＡの１番の棚へ１段階で仕分け／移送され、更に、収納先ＳＡの１番の棚へ１段階で仕分け／移送される。
【０１０２】
また、帳票２には「ＥＡ２−ＣＢ１−ＳＡ２」のコードが仕分け方法として印刷される。従って、このような帳票２は、営業店ＥＡの２番の棚から事務センタＣＢの１番の棚へ１段階で仕分け／移送され、更に、収納先ＳＡの２番の棚へ１段階で仕分け／移送される。
【０１０３】
また、帳票３には「ＥＡＺ−ＥＡ２−ＣＡＺ−ＳＡＺ」のコードが仕分け方法として印刷される。従って、このような帳票３は、第１段階１で、営業店ＥＡのＺ番目の棚に一旦収納され、その後、第２段階２で営業店ＥＡの２番目の棚へ移送された後、事務センタＣＡのＺ番の棚へ１段階で仕分け／移送され、更に、収納先ＳＡのＺ番の棚へ１段階で仕分け／移送される。
【０１０４】
(3) ：例３
図１９は、地域毎に収納先の経路が変わる場合の説明図である。図１９において、(1) 図がＡ地域、(2) 図がＢ地域、(3) 図が仕分け情報ＤＢを示す。この場合、仕分け情報ＤＢが図示のようになっていたとする。
【０１０５】
すなわち、仕分け情報ＤＢによれば、帳票名＝帳票１の地域＝Ａでは、時期＝ＡＬＬ、店数＝３、店名＝ＥＡは１ｓｔ（１回目の棚番号）＝１で２ｎｄ＝無し、店名＝ＣＡは１ｓｔ＝１で２ｎｄ＝無し、店名＝ＳＡは１ｓｔ＝１で２ｎｄ＝無しである。
【０１０６】
また、帳票名＝帳票１の地域＝Ｂでは、時期＝ＡＬＬ、店数＝４、店名＝ＥＢは１ｓｔ＝２で２ｎｄ＝無し、店名＝ＣＢは１ｓｔ＝２で２ｎｄ＝無し、店名＝ＣＡは１ｓｔ＝１で２ｎｄ＝無し、ＳＡは１ｓｔ＝１で２ｎｄ＝無しである。
【０１０７】
このように仕分け情報ＤＢの場合、(1) のＡ地域では、帳票１に「ＥＡ１−ＣＡ１−ＳＡ１」のコードが仕分け方法として印刷される。従って、このような帳票１は、営業店ＥＡの１番の棚から事務センタＣＡの１番の棚へ１段階で仕分け／移送され、更に、収納先ＳＡの１番の棚へ１段階で仕分け／移送される。
【０１０８】
また、(2) のＢ地域では、帳票１に「ＥＢ２−ＣＢ２−ＣＡ１−ＳＡ１」のコードが仕分け方法として印刷される。従って、このような帳票１は、営業店ＥＢの２番の棚から事務センタＣＢの２番の棚へ仕分け／移送された後、事務センタＣＡの１番の棚へ仕分け／移送され、事務センタＣＡの１番の棚から収納先ＳＡの１番の棚へ仕分け／移送される。
【０１０９】
(4) ：例４
図２０は、時期毎に収納先の経路が変わる場合の説明図である。図２０において、(1) 図が時期４〜６月、(2) 図が時期１〜３月、７月〜１２月、(3) 図が仕分け情報ＤＢを示す。この場合、仕分け情報ＤＢが図示のようになっていたとする。
【０１１０】
すなわち、仕分け情報ＤＢによれば、帳票名＝帳票１の時期＝４、５、６月では、地域＝Ａ、店数＝３、店名＝ＥＡは１ｓｔ（１回目の棚番号）＝１で２ｎｄ＝無し、店名＝ＣＡは１ｓｔ＝１で２ｎｄ＝無し、店名＝ＳＡは１ｓｔ＝１で２ｎｄ＝無しである。
【０１１１】
また、帳票名＝帳票１の時期＝その他（４、５、６月以外）では、地域＝Ａ、店数＝３、店名＝ＥＡは１ｓｔ＝２で２ｎｄ＝無し、店名＝ＣＡは１ｓｔ＝２で２ｎｄ＝無し、店名＝ＳＡは１ｓｔ＝１で２ｎｄ＝無しである。
【０１１２】
このように仕分け情報ＤＢの場合、(1) の時期４、５、６月では、帳票１に「ＥＡ１−ＣＡ１−ＳＡ１」のコードが仕分け方法として印刷される。従って、このような帳票１は、営業店ＥＡの１番の棚から事務センタＣＡの１番の棚へ１段階で仕分け／移送され、更に、収納先ＳＡの１番の棚へ１段階で仕分け／移送される。
【０１１３】
また、(2) の時期（１〜３月、７〜１２月）では、帳票１に「ＥＡ２−ＣＡ２−ＳＡ２」のコードが仕分け方法として印刷される。従って、このような帳票１は、営業店ＥＡの２番の棚から事務センタＣＡの２番の棚へ仕分け／移送された後、収納先ＳＡの２番の棚へ仕分け／移送される。
【０１１４】
§１６：プログラムと記録媒体の説明
前記営業店及び事務センタ内に設けた帳票仕分け装置及び仕分け実行装置は、パーソナルコンピュータ、ワークステーション等の任意のコンピュータにより実現することができる。この装置は、コンピュータ本体と、該コンピュータ本体に接続されたディスプレイ装置、入力装置（キーボード／マウス等）、リムーバブルディスクドライブ（「ＲＤＤ」という）、ハードディスク装置等で構成されている。
【０１１５】
そして、前記コンピュータ本体には、内部の各種制御や処理を行うＣＰＵと、プログラムや各種データを格納しておくためのＲＯＭ（不揮発性メモリ）と、ワーク用のメモリと、インタフェース制御部と、通信制御部等が設けてある。なお、前記ＲＤＤには、フレキシブルディスクドライブや光ディスクドライブ（例えば、ＭＯドライブ）等が含まれる。
【０１１６】
前記構成の装置において、例えば、前記ＲＯＭ、或いはハードディスク装置の磁気ディスク（記録媒体）に、前記帳票仕分け装置及び仕分け実行装置の処理を実現するためのプログラムを格納しておき、このプログラムをＣＰＵが読み出して実行することにより、前記帳票処理を行う。
【０１１７】
しかし、本発明はこのような例に限らず、例えば、ハードディスク装置の磁気ディスクに、次のようにしてプログラムを格納し、このプログラムをＣＰＵが実行することで前記処理を行うことも可能である。
【０１１８】
(a) ：他の装置で作成されたリムーバブルディスクに格納されているプログラム（他の装置で作成したプログラムデータ）を、ＲＤＤで読み取り、ハードディスク装置の記録媒体に格納する。
【０１１９】
(b) ：ＬＡＮ等の通信回線を介して他の装置から伝送されたプログラム等のデータを通信制御部を介して受信し、そのデータをハードディスク装置の記録媒体（磁気ディスク）に格納する。
【０１２０】
以上の説明に対し、次のような構成を付記する。
【０１２１】
（付記１）  帳票を読み取り、帳票画像を入力する第１の処理と、
前記入力した帳票画像から収納先や金額を含む帳票情報を獲得して管理する第２の処理と、
前記獲得した帳票情報及びデータベースの仕分け情報を基に帳票の仕分け方法を決定する第３の処理と、
前記帳票情報及び前記決定した帳票の仕分け方法を帳票に印刷する第４の処理と、
帳票から前記印刷された帳票情報及び帳票の仕分け方法を読み取る第５の処理と、
前記帳票から読み取った仕分け方法及び帳票情報を基に帳票に対する集計を行う第６の処理と、
前記帳票から読み取った仕分け方法を基に前記帳票を分類する第７の処理と、  を有することを特徴とする帳票処理方法。
【０１２２】
（付記２）  帳票の仕分けを行う帳票仕分け装置、及び帳票の仕分けを実行する仕分け実行装置を含む帳票処理システムの前記帳票仕分け装置において、
帳票を読み取り帳票画像を入力する画像入力手段と、
入力した帳票画像から収納先や金額を含む帳票情報を獲得して管理する帳票情報獲得手段と、
前記獲得した帳票情報及びデータベースの仕分け情報を基に帳票の仕分け方法を決定する仕分方法決定手段と、
前記帳票情報及び前記決定した帳票の仕分け方法を帳票に印刷する印刷手段と、
を少なくとも備えていることを特徴とする帳票仕分け装置。
【０１２３】
（付記３）  帳票の仕分けを行う帳票仕分け装置、及び帳票の仕分けを実行する仕分け実行装置を含む帳票処理システムの前記帳票仕分け装置において、
帳票を読み取り帳票画像を入力する画像入力手段と、
入力した帳票画像から収納先や金額を含む帳票情報を獲得して管理する帳票情報獲得手段と、
前記獲得した帳票情報及びデータベースの仕分け情報を基に帳票の仕分け方法を決定する仕分方法決定手段と、
前記帳票情報及び前記決定した帳票の仕分け方法を帳票に印刷する印刷手段と、
前記決定した仕分方法及び前記帳票情報獲得手段で管理している帳票情報を基に帳票に対する集計を行う集計手段と、
前記帳票の仕分方法を基に帳票を分類する分類手段と、
を備えていることを特徴とする帳票仕分け装置。
【０１２４】
（付記４）  帳票の仕分けを行う帳票仕分け装置、及び帳票の仕分けを実行する仕分け実行装置を含む帳票処理システムの前記仕分け実行装置において、
帳票に印刷された仕分け方法及び帳票情報を読み取る印刷情報読取手段と、
前記読み取った仕分け方法及び帳票情報を基に帳票に対する集計を行う集計手段と、
前記仕分方法を基に帳票を分類する分類手段と、
を備えていることを特徴とする仕分け実行装置。
【０１２５】
（付記５）  前記帳票情報獲得手段は、
帳票を判別して文字認識することで収納先や金額を含む帳票情報を獲得する機能を備えていることを特徴とする（付記２）又は（付記３）記載の帳票仕分け装置。
【０１２６】
（付記６）  前記印刷手段は、仕分け方法及び帳票情報を帳票に印刷する際、ステルスバーコード等の不可視情報として印刷することを特徴とする（付記２）又は（付記３）記載の帳票仕分け装置。
【０１２７】
このように仕分け方法や帳票情報を、ステルスバーコード等の不可視情報で帳票に印刷すれば、帳票に基から記載されている情報を保持しながら、装置や帳票処理システムに必要な情報を維持し、しかも、セキュリティも万全である。
【０１２８】
（付記７）  前記データベースの仕分け情報は、営業店側装置と事務センタ側装置間のネットワークを介して更新可能であることを特徴とする（付記２）又は（付記３）記載の帳票仕分け装置。
【０１２９】
このように、データベースの仕分け方法を更新可能にすれば、金融機関のシステム規模に合った仕分け方法の構築や更新、また恒久的でない地域の情報を反映させることも可能になる。
【０１３０】
（付記８）  コンピュータに、
入力した帳票画像から収納先や金額を含む帳票情報を獲得して管理する手順と、
前記獲得した帳票情報及びデータベースの仕分け情報を基に帳票の仕分け方法を決定する手順と、
前記決定した仕分け方法及び前記帳票情報を帳票に印刷する手順と、
を実行させるためのプログラムを記録したコンピュータ読み取り可能な記録媒体。
【０１３１】
（付記９）  コンピュータに、
入力した帳票画像から収納先や金額を含む帳票情報を獲得して管理する手順と、
前記獲得した帳票情報及びデータベースの仕分け情報を基に帳票の仕分け方法を決定する手順と、
前記決定した仕分け方法及び前記帳票情報を帳票に印刷する手順と、
を実行させるためのプログラム。
【符号の説明】
【０１３２】
１  帳票仕分装置
２  仕分け実効装置
３  仕分方法／帳票情報印刷済み帳票
１１  画像入力部
１２  帳票情報獲得部
１３  仕分け方法決定部
１４  印刷部
１５  集計部
１６  分類部
１７  データベース（ＤＢ）
１８  仕分け方法更新部
２１  印刷情報読取部
３１  帳票判別部
３２  項目抽出部
３３  文字認識部
３４  訂正部
３５  確認部
４１  地域情報制御部
４２  取扱金融機関情報制御部
４３  帳票種情報制御部
４４  センタ情報制御部
４５  営業店情報制御部
【図１】
2011150732.tif 000003
【図２】
2011150732.tif 000004
【図３】
2011150732.tif 000005
【図４】
2011150732.tif 000006
【図５】
2011150732.tif 000007
【図６】
2011150732.tif 000008
【図７】
2011150732.tif 000009
【図８】
2011150732.tif 000010
【図９】
2011150732.tif 000011
【図１０】
2011150732.tif 000012
【図１１】
2011150732.tif 000013
【図１２】
2011150732.tif 000014
【図１３】
2011150732.tif 000015
【図１４】
2011150732.tif 000016
【図１５】
2011150732.tif 000017
【図１６】
2011150732.tif 000018
【図１７】
2011150732.tif 000019
【図１８】
2011150732.tif 000020
【図１９】
2011150732.tif 000021
【図２０】
2011150732.tif 000022
【図２１】
2011150732.tif 000023
【図２２】
2011150732.tif 000024